(57)【要約】測定された量の液体製品を容器から分配するための装置及びプロセス。装置は、注ぎチャンバ及び密度タイマーを含む。
2020531379.tif 000002
【特許請求の範囲】
【請求項１】
装置（１０）であって、
入口端部（３０）及び出口端部（４０）と、前記入口端部から前記出口端部へと延在する注ぎチャンバ壁部（５０）と、を備える注ぎチャンバ（２０）であって、前記注ぎチャンバは、前記入口端部から前記出口端部への流動が生じ得る開放断面積（６０）を有する、注ぎチャンバと、
前記注ぎチャンバと係合される密度タイマー（１５０）であって、前記密度タイマーは、
第１の密度を有するタイミング液体（４０５）と、第２の密度を有するタイミング要素（４００）とを収容するリザーバ（４１０）であって、前記第２の密度は前記第１の密度とは異なり、前記タイミング要素（４００）は前記タイミング液体を通って移動可能であり、前記タイミング要素は前記リザーバの外側から見える、リザーバ（４１０）と、
前記リザーバ上又は前記リザーバに隣接する１つ以上の計量表示部（２４０）と
を備える、密度タイマーと
を備える、装置。
【請求項２】
請求項１に記載の装置であって、
前記開放断面積は、前記入口端部と前記出口端部との間の位置の関数であり、前記出口端部は、前記入口端部の下流にあり、前記出口端部は出口周囲長を有し、前記出口端部の上流の前記注ぎチャンバの一部分は、前記出口端部の上流にスパウトエントランスを有するスパウトであり、
前記装置は、前記注ぎチャンバ壁部と係合され、前記入口端部と前記スパウトとの間に配置されたダム（８０）を更に備え、前記開放断面積は、前記ダムの直ぐ上流の位置と比較すると、前記ダムが配置されている場所で低減され、前記ダムは、前記スパウトエントランスを部分的に閉鎖する、装置。
【請求項３】
前記出口端部から離間配置されたエントランス（１０５）と、前記エントランスからイグジット（１３０）へと延在する通気口壁部と、を備える通気口（１００）を更に備え、前記イグジットは前記注ぎチャンバと流体連通し、前記イグジットは、前記出口端部が前記ダムから離れている距離よりも前記ダムから離れており、前記イグジットは、前記出口周囲長の０．５倍超、前記ダムから離れており、前記イグジットはイグジット周囲長（１４０）を有し、前記出口周囲長（９０）は、前記イグジット周囲長の２倍超、長い、請求項２に記載の装置。
【請求項４】
開放端部（２５０）を有する容器（７０）を更に備え、前記注ぎチャンバ、前記ダム、前記通気口、及び前記密度タイマーは、前記開放端部と係合されている、請求項３に記載の装置。
【請求項５】
開放端部（２５０）を有する容器（７０）を更に備え、前記注ぎチャンバ、前記ダム、前記通気口、前記密度タイマー、及び出口クロージャは共に、容器クロージャ（２６２）の少なくとも一部を形成する、請求項３に記載の装置。
【請求項６】
前記イグジットは、前記出口端部が前記ダムから離れている距離よりも１．５倍超、前記ダムから離れている、請求項３〜５のいずれか一項に記載の装置。
【請求項７】
前記密度タイマーは容器（７０）上に装着されている、請求項１〜６のいずれか一項に記載の装置。
【請求項８】
前記リザーバが、第１の端部（４１５）と、前記第１の端部と対向する第２の端部（４２０）と、前記第１の端部を前記第２の端部に接続するリザーバ壁部（４２５）であって、前記リザーバ壁部が、前記タイミング液体を収容する内部チャンバ（４３０）を画定する、リザーバ壁部と、を備え、前記第１の端部から前記第２の端部までの前記リザーバが、前記入口端部から前記出口端部までの前記注ぎチャンバと位置合わせされる、請求項１〜７のいずれか一項に記載の装置。
【請求項９】
前記第２の密度は前記第１の密度よりも大きい、請求項１〜８のいずれか一項に記載の装置。
【請求項１０】
前記第２の密度は前記第１の密度よりも小さい、請求項１〜９のいずれか一項に記載の装置。
【請求項１１】
前記タイミング要素が固体である、請求項１〜１０のいずれか一項に記載の装置。
【請求項１２】
請求項１〜１１のいずれか一項に記載の装置であって、
前記装置は、前記出口端部が前記入口端部の上方にある第１の位置と、前記入口端部が前記出口端部の上方にある第２の位置と、を有し、前記装置が前記第２の位置にあるとき、前記タイミング要素が前記リザーバの外側から見える、装置。
【請求項１３】
請求項１〜１２のいずれか一項に記載の装置であって、
前記装置は、少なくとも部分的に前記スパウトを囲んで延在し、かつ前記スパウトから離れて外向きに延在するフロア（２７０）と、チャネル壁部（２８０）であって、前記入口端部（３０）から離れる方向に前記フロアから延在して、前記スパウトと前記チャネル壁部との間にチャネル（２９０）を画定する、チャネル壁部（２８０）と、を更に備え、前記フロアは、前記エントランスに向かって、又は前記注ぎチャンバと流体連通する穴に向かって傾斜されている、装置。
【請求項１４】
請求項１〜１３のいずれか一項に記載の装置であって、
前記装置は、前記出口端部が前記入口端部の上方にある第１の位置と、前記入口端部が前記出口端部の上方にある第２の位置と、を有し、前記リザーバが、第１の端部（４１５）と、前記第１の端部と対向する第２の端部（４２０）と、前記第１の端部を前記第２の端部に接続するリザーバ壁部（４２５）であって、前記リザーバ壁部（４２５）が、前記タイミング液体を収容する内部チャンバ（４３０）を画定する、リザーバ壁部と、を備え、前記装置が前記第１の位置から前記第２の位置に移行するとき、前記タイミング要素は前記タイミング液体を通って前記第１の端部から前記第２の端部に向かって移動するか、又は前記タイミング液体を通って前記第２の端部から前記第１の端部に向かって移動する、装置。
【請求項１５】
請求項１〜１４のいずれか一項に記載の装置を用いて液体製品（４３５）を分配するためのプロセスであって、前記液体製品が前記出口端部を通って分配されるとき、前記タイミング要素は前記タイミング液体を通って前記計量表示部に向かって移動し、又は前記計量表示部を通過する、プロセス。
【発明の詳細な説明】
【技術分野】
【０００１】
時間調節された注ぎによる液体製品の分配。
【背景技術】
【０００２】
多くの液体製品は、容器の開放端部を通じて、又は容器のためのクロージャの一部を形成する分配システムを通じて容器から分配される。例えば、液体洗濯製品は一般に、スパウト取付体が取り付けられた容器並びにスパウト取付体及び／又は容器と係合するクロージャに包装される。クロージャは、多くの場合、測定カップとして機能するための二次目的を有し、クロージャの内部又は外部に計量表示部を設けられており、この表示部は、洗濯物の大きさ又は他の洗浄条件に応じて使用するのが望ましい特定の体積の液体製品に対応する、クロージャの内側壁部上にマークされたライン又はバーの形式を有する。
【０００３】
時には、消費者が所望の量の液体洗濯製品を投入カップの中に正確に分配するには、いくぶんかの努力が必要とされ得る。消費者が液体洗濯製品を過少に計量した場合、消費者は、有効量の製品を使用できなかったために、液体洗濯製品の性能に不満となる場合がある。消費者が液体洗濯製品を過剰に計量した場合、消費者は、液体洗濯製品の単一の容器で消費者が行い得る洗濯物の数に不満となる場合がある。
【０００４】
容器が液体を分配する際に容器から分配される液体製品の量を測定する目的を有する様々な装置が存在する。容器からの流速が一定でない場合があり、分配される液体製品と置き換わるべく容器に進入する空気は結果として、容器からの不規則な液体流を生じることがあり、また、容器から絞り及び複数の経路を通る液体製品流の動力学は複雑であるため、容器から液体を注ぐときに分配される液体製品の量を測定することは、特に困難な作業である。
【発明の概要】
【発明が解決しようとする課題】
【０００５】
これらの制限を念頭に置いて、測定された量の液体製品を分配するための装置及びプロセスに対する継続的な未解決の必要性が存在する。
【課題を解決するための手段】
【０００６】
装置であって、入口端部及び出口端部と、当該入口端部から当該出口端部へと延在する注ぎチャンバ壁部と、を備える注ぎチャンバであって、当該注ぎチャンバは、当該入口端部から当該出口端部への流動が生じ得る開放断面積を有し、当該開放断面積は、当該入口端部と当該出口端部との間の位置の関数であり、当該出口端部は、当該入口端部の下流にあり、当該出口端部は出口周囲長を有し、当該出口端部の上流の当該注ぎチャンバの一部分は、当該出口端部の上流にスパウトエントランスを有するスパウトである、注ぎチャンバと、当該注ぎチャンバ壁部と係合され、当該入口端部と当該スパウトとの間に配置されたダムであって、当該開放断面積は、当該ダムの直ぐ上流の位置と比較すると、当該ダムが配置されている場所で低減され、当該ダムは、当該スパウトエントランスを部分的に閉鎖する、ダムと、当該出口端部から離間配置されたエントランスと、当該エントランスからイグジットへと延在する通気口壁部と、を備える通気口であって、当該イグジットは当該注ぎチャンバと流体連通し、当該イグジットは、当該出口端部が当該ダムから離れている距離よりも当該ダムから離れており、当該イグジットは、当該出口周囲長の約０．５倍超、当該ダムから離れており、当該イグジットはイグジット周囲長を有し、当該出口周囲長は、当該イグジット周囲長の約２倍超、長い、通気口と、当該注ぎチャンバと係合される密度タイマーであって、当該密度タイマーは、第１の密度を有するタイミング液体（４０５）と、第２の密度を有するタイミング要素とを収容するリザーバであって、当該第２の密度は当該第１の密度とは異なり、当該タイミング要素は当該タイミング液体を通って移動可能であり、当該タイミング要素は当該リザーバの外側から見える、リザーバと、当該リザーバ上又は当該リザーバに隣接する１つ以上の計量表示部とを備える、密度タイマーとを備える、装置。
【０００７】
装置であって、入口端部及び出口端部と、当該入口端部から当該出口端部へと延在する注ぎチャンバ壁部と、を備える注ぎチャンバであって、当該注ぎチャンバは、当該入口端部から当該出口端部への流動が生じ得る開放断面積を有する、注ぎチャンバと、当該注ぎチャンバと係合される密度タイマーであって、当該密度タイマーは、第１の密度を有するタイミング液体と、第２の密度を有するタイミング要素とを収容するリザーバであって、当該第２の密度は当該第１の密度とは異なり、当該タイミング要素は当該タイミング液体を通って移動可能であり、当該タイミング要素は当該リザーバの外側から見える、リザーバと、当該リザーバ上又は当該リザーバに隣接する１つ以上の計量表示部とを備える、密度タイマーとを備える、装置。
【０００８】
装置であって、入口端部及び出口端部と、当該入口端部から当該出口端部へと延在する注ぎチャンバ壁部と、を備える注ぎチャンバであって、当該注ぎチャンバは、当該出口端部に平行な開放断面積を有する、注ぎチャンバと、当該注ぎチャンバ壁部と係合され、当該入口端部と当該出口端部との間に配置されたダムであって、当該ダムは当該入口端部よりも当該出口端部に近く、当該ダムは、当該ダムが配置されている当該注ぎチャンバの当該開放断面積の約３０％を超えてブロックし、当該出口端部は出口周囲長を有する、ダムと、当該出口端部の外部のエントランスと、当該エントランスからイグジットへと延在する通気口壁部と、を備える通気口であって、当該イグジットは当該注ぎチャンバと流体連通し、当該イグジットは、当該出口端部が当該ダムから離れている距離よりも当該ダムから離れており、当該イグジットは、当該出口周囲長の約０．５倍超、当該ダムから離れており、当該イグジットはイグジット周囲長を有し、当該出口周囲長は、当該イグジット周囲長の約２倍超、長い、通気口と、当該注ぎチャンバと係合される密度タイマーであって、当該密度タイマーは、第１の密度を有するタイミング液体と、第２の密度を有するタイミング要素とを収容するリザーバであって、当該第２の密度は当該第１の密度とは異なり、当該タイミング要素は当該タイミング液体を通って移動可能であり、当該タイミング要素は当該リザーバの外側から見える、リザーバと、当該リザーバ上又は当該リザーバに隣接する１つ以上の計量表示部とを備える、密度タイマーとを備える、装置。
【図面の簡単な説明】
【０００９】
【図１】装置の断面である。
【図２】装置の上面図である。
【図３】装置のイメージである。
【図４】液体製品の分配が開始された直後の第２の位置にある装置の画像である。タイミング要素は、リザーバの第２の端部よりもリザーバの第１の端部に近い。
【図５】分配された液体製品の量が十分である長さ装置がそのような位置にあった後の第２の位置にある装置の画像である。タイミング要素は、計量表示部を通過して、リザーバの第２の端部に最も近い計量表示部に向かって移動し、リザーバの第１の端部よりもリザーバの第２の端部の近くにある。
【図６】装置の底面イメージである。
【図７】装置の斜視図である。
【図８】装置の破断図である。
【発明を実施するための形態】
【００１０】
図１は、注ぎチャンバ２０を備える装置１０である。注ぎチャンバ２０は、入口端部３０と、出口端部４０と、入口端部３０から出口端部４０まで延在する注ぎチャンバ壁部５０と、を備える。注ぎチャンバ２０は、開放断面積６０を有する。開放断面積６０は、入口端部３０に平行な様々な平面で取られ得る。スパウト４５の開放端部３０を通過する長手方向軸線Ｌもまた入口端部３０を通過するスパウトの場合、長手方向軸線Ｌは入口端部３０と直交し得る。
【００１１】
注ぎチャンバ２０は、容器７０からの液体製品がダム８０を通り過ぎて出口端部４０を通過する場所である。使用中、前述の要素は、容器７０のためのクロージャシステムの一部を形成してもよい。ユーザーが容器７０を傾けて容器７０から液体製品を分配すると、液体製品は容器から入口端部３０を通って流動し、次いで注ぎチャンバ２０を通って下流に流動し、次いで出口端部４０を通って更に下流に流動して、例えばバケット、洗濯機、洗濯機のコンパートメントなどに分配され得る。液体製品は、液体洗濯製品であり得る。液体製品は、液体洗濯洗剤、液体布地柔軟剤、液体香り増強剤、及び液体布地回復剤からなる群から選択することができる。
【００１２】
入口端部３０は、約３ｃｍ２〜約４０ｃｍ２、任意選択で約５ｃｍ２〜約２０ｍｍ２の開放断面積６０を有し得る。出口端部４０は、約０．２５ｃｍ２〜約８ｃｍ２の開放断面積６０を有し得る。入口端部３０の開放断面積６０は、出口端部４０の開放断面積６０よりも大きくてもよい。開放断面積６０は、流動が発生し得る平面において測定されるものであり、また入口端部３０から出口端部４０の位置の関数として変動し得る。すなわち、デッドエンド経路に沿った開放部分は測定されない。流動が活動的であり得る部分のみが考慮される。注ぎチャンバ２０は、全体的に先細にされてもよい。注ぎチャンバ２０は、入口端部３０から出口端部４０に向かって、先細にされ得るか又は絞り込まれ得る。注ぎチャンバ２０は、概ね円錐形状をなしてもよい。入口端部３０は、出口端部４０の開放断面積６０よりも大きい開放断面積６０を有し得る。入口端部３０から出口端部４０への絞りは液体製品の流動を集中させる助けとなり、容器から出口端部４０に向かう液体製品の過剰供給をもたらし得ると考えられ、したがって、注ぎチャンバ２０の流速の制限、出口端部４０の流速の制限、スパウト４５の流速の制限、又はダム８０を越える流速の制限のうちの１つ以上によって流速が抑制され得るため、出口端部４０からの流速が適度に又は実質的に定常となる。注ぎチャンバ２０内には、注ぎチャンバ２０、ダム８０を通過する通気口１００、及び、装置１０を容器７０に接続するための構造、例えば、ねじ山又は容器７０の開放端部２５０にスナップ嵌めされるように設計されたビードなどの他の付属物などの機構が存在してもよい。
【００１３】
出口端部４０は、約３ｍｍ〜約３０ｍｍ、任意選択により約５ｍｍ〜約２０ｍｍ、更に任意選択により約５ｍｍ〜約１５ｍｍ、任意選択により約１０ｍｍの直径を有することができる。所与の液体製品について、出口端部４０の直径又は開放断面積が小さくなるほど、液体製品の流量がより遅くなる。出口端部４０は、約７ｍｍ２〜約７００ｍｍ２、任意選択で約２０ｍｍ２〜約７００ｍｍ２、任意選択で約２０ｍｍ２〜約３００ｍｍ２、約７５ｍｍ２の開放断面積を有し得る。
【００１４】
出口端部４０の上流の注ぎチャンバ２０の一部分がスパウト４５であってもよい。スパウト４５は、出口端部４０の上流にスパウトエントランス４７を有し得る。スパウト４５は、液体製品が出口端部４０を出るときに小さな面積の全体に液体製品の流動を集中させるために設けられる注ぎチャンバ２０の狭小部分であり得る。出口端部４０の前述の直径及び開放断面積の範囲は、スパウト４５の出口端部４０に好適であり得る。出口端部４０は、約３ｍｍ〜約３０ｍｍ、任意選択により約５ｍｍ〜約２０ｍｍ、更に任意選択により約５ｍｍ〜約１５ｍｍ、任意選択により約１０ｍｍの直径を有することができる。所与の液体製品について、出口端部４０の直径又は開放断面積が小さくなるほど、液体製品の流量がより遅くなる。出口端部４０は、約７ｍｍ２〜約７００ｍｍ２、任意選択で約２０ｍｍ２〜約７００ｍｍ２、任意選択で約２０ｍｍ２〜約３００ｍｍ２、約７５ｍｍ２の開放断面積を有し得る。
【００１５】
出口端部４０の上流の注ぎチャンバ２０の一部分がスパウト４５であってもよい。スパウト４５は、出口端部４０の上流にスパウトエントランス４７を有し得る。スパウト４５は、液体製品が出口端部４０を出るときに小さな面積の全体に液体製品の流動を集中させるために設けられる注ぎチャンバ２０の狭小部分であり得る。出口端部４０の前述の直径及び開放断面積の範囲は、スパウト４５の出口端部４０に好適であり得る。
【００１６】
装置１０は、注ぎチャンバ壁部５０と係合されたダム８０を備え得る。ダム８０は、図１のような非限定的な例として、装置１０が液体製品を分配する位置にあるときに、流路の縁部から縁部への液体製品の流動を遮断する構造であり得る。このことは、川岸の間に延びるダムによく似ているが、注ぎの状況において、ダムを越える流動、又は更には、ダム８０の縁部とダム上方の注ぎチャンバ２０の内側との間隙における全流量が望まれ得るという点では異なっている。図１に示されるような非限定的な例として、任意選択により、ダム８０は、液体製品の流動に抵抗し、スパウトエントランス４７に到達する前に、ダム８０の周囲に液体製品を流動させる構造であり得る。例えば、ダム８０は、液体製品の流動の経路における障害物であり得る。すなわち、液体製品は、ダム８０の頂部を越えて、又はダムの側部の周りに流動し得る。ダム８０は、スパウトエントランス４７と一直線になるように配置され得る。ダム８０は、スパウトエントランスの中心線と一直線になるように配置され得る。ダム８０は、入口端部３０からスパウトエントランス４７への液体製品の流動の流線を、スパウトエントランス４７において又はその近くで局所的に方向転換させるように配置され得る。ダム８０は、入口端部から出口端部への液体製品の流動の流線を方向転換させるように、特にスパウトエントランス４７へのエントランス又はその付近における液体製品の流動の流線を方向転換又は延長するように作用し得る。
【００１７】
ダム８０は、入口端部３０と出口端部４０との間に配置され得る。この位置では、ダム８０はスパウトエントランス４７を部分的に閉鎖する。例えば、非限定的な例である図１に示されるように、ダム８０は、スパウトエントランス４７の直ぐ上流にあり得る。その位置では、ダム８０はスパウトエントランス４７を部分的に閉鎖すると考えられる。容器７０から分配された液体製品は、容器７０から入口端部３０を通って注ぎチャンバ２０の中へと進行し、ダム８０の上へ、ダムの周囲へ、又はダムを越えて、スパウトエントランス４７の中へ、そして出口端部４０を通って進行する。ダム８０は、注ぎチャンバ２０の内部にある。ダム８０は、ダム８０を越える液体製品の流速に対するダムの上流の全ヘッドの影響を低減するのに役立ち得、また、注ぎチャンバ２０の形状、注ぎチャンバ２０の表面粗さ、及び、液体製品が装置１０から分配される位置に装置１０があるときのダム８０の上の全ヘッドよりも、出口端部４０から流出する流速に対して比較的大きな又は更にはより大きな効果を有し得る。
【００１８】
ダム８０は、ダム８０の直ぐ上流の位置と比較してダム８０が配置される場合、開放断面積６０を低減する。ダム８０は、スパウトエントランス４７に配置され得るか、スパウトエントランス４７の直ぐ上流に配置され得るか、又はスパウトエントランス４７の上流に配置され得る。ダム８０は、入口端部３０よりもスパウトエントランス４７の近くに配置され得る。ダム８０は、スパウト４５の中への液体製品の流動に影響を有するか、又は更には大きな影響を有するか、又は更には重大な影響を有するように配置され得る。すなわち、ダム８０は、ダム８０の上流にある注ぎチャンバ２０内にあるか又は注ぎチャンバを画定する他の特徴部よりも、スパウト４５への液体製品の流動に比較的大きな効果を有し得る。ダム８０の機能は、出口端部４０から出る液体製品の流速に相当な影響を与える構造的特徴部を設けることであり、これは、出口端部４０から出る液体製品の流速に対して入口端部３０又はダム８０の上方の液体製品の全ヘッドが与える影響を低減する働きをし得る。
【００１９】
ダム８０は、ダム８０の直ぐ上流の位置と比較してダムが配置される場合、開放断面積を約１０％超、任意選択で約２０％超、更なる任意選択で約３０％超、低減し得る。使用中、注ぎチャンバ２０を通る流動は、上流から下流へと向かうものであり、これは入口端部３０からダム８０を越えて出口端部４０の外に向かうものである。ダム８０の直ぐ上流に、比較的大きな開放断面積が存在してもよく、またダム８０においてその開放断面積は急激に低減され得る。例えば、ダム８０の直ぐ上流で、開放断面積は、約１０００ｍｍ２〜約１００００ｍｍ２、任意選択で約２０００ｍｍ２〜約７０００ｍｍ２、任意選択で約３０００ｍｍ２〜約５０００ｍｍ２、任意選択で約４０００ｍｍ２であり得る。
【００２０】
ダム８０は、入口端部３０よりも出口端部４０の近くに配置され得る。これにより、ほぼ一定の流速の液体製品がダム８０を越えて出口端部４０に向かって供給されるように、十分な量の液体製品が注ぎチャンバ２０に絶えず収集されると考えられる。ダム８０は、ダム８０が配置されている場所で、注ぎチャンバ２０の開放断面積６０の約１０％超を遮断し得る。ダム８０は、ダム８０が配置されている場所で、注ぎチャンバ２０の開放断面積６０の約２０％超を遮断し得る。ダム８０は、ダム８０が配置されている場所で、注ぎチャンバ２０の開放断面積６０の約３０％超を遮断し得る。ダム８０は、ダム８０が配置されている場所で、注ぎチャンバ２０の開放断面積６０の約４０％超を遮断し得る。ダム８０は、ダム８０が配置されている場所で、注ぎチャンバ２０の開放断面積６０の約５０％超を遮断し得る。ダム８０は、ダム８０が配置されている場所で、注ぎチャンバ２０の開放断面積６０の約６０％超を遮断し得る。ダム８０が遮断する流れが多くなるほど、十分な体積の液体製品がダム８０の背後にあり、ダム８０にまたがる定常流を支持する可能性が高くなり、またより緩徐に液体製品が出口端部４０から流出するようになる。
【００２１】
ダム８０は、出口端部４０の開口断面領域６０の約２０％を超えるダム面領域を有し得る。ダム面領域は、入口端部３０に向かって上流に提示されるダム８０の投影面積として測定される。ダム面領域は、約５０ｍｍ２〜約２００ｍｍ２、任意選択で約８０ｍｍ２〜約１６０ｍｍ２、任意選択で約１００ｍｍ２〜約１４０ｍｍ２、任意選択で約１２０ｍｍ２であり得る。ダム８０は、出口端部４０の開口断面領域６０の約３０％を超えるダム面領域を有し得る。ダム８０は、出口端部４０の開口断面領域６０の約４０％を超えるダム面領域を有し得る。ダム８０は、出口端部４０の開口断面領域６０の約５０％を超えるダム面領域を有し得る。ダム８０は、出口端部４０の開口断面領域６０の約７０％を超えるダム面領域を有し得る。ダム８０は、出口端部４０の開口断面領域６０の約９０％を超えるダム面領域を有し得る。ダム８０は、出口端部４０から約１ｍｍ〜約４０ｍｍ、又は任意選択で１０ｍｍ〜約３０ｍｍ、又は任意選択で約１５ｍｍ〜約２５ｍｍに位置し得るか、あるいは出口端部４０から任意選択で約２０ｍｍ、又は任意選択で出口端部４０から約１ｍｍ〜約６ｍｍ、又は任意選択で約１ｍｍ〜４ｍｍに位置し得る。
【００２２】
ダム８０は、出口端部４０に向かって下流に向けられた下流面８２と、入口端部３０に向かって上流に向けられた対向する上流面８４とを有し得る。ダム８０は、入口端部３０から出口端部４０への液体製品流の流線を方向転換させ得る。すなわち、入口端部３０から出口端部４０への液体製品流の流線は、非直線的であり得る。
【００２３】
ダム８０の少なくとも一部分は、出口端部４０を通って入口端部３０と直交する真っ直ぐな長手方向軸線Ｌと交差し得る。このように配置構成されると、ユーザーが出口端部４０を通じて見下ろすとき、ダム８０の少なくとも一部が、入口端部３０の視界を遮断し得る。スパウト４５は、真っ直ぐな長手方向軸線Ｌがスパウト４５と交差することなく通過し得る真っ直ぐなスパウトであり得る。任意選択により、スパウト４５は、真っ直ぐな長手方向軸線Ｌがスパウト４５の内側壁部と交差することなくスパウト４５を通過し得ないように湾曲され得る。
【００２４】
出口端部４０は、出口周囲長９０を有している。出口周囲長９０は、出口端部４０における注ぎチャンバ２０の内側周囲長である。出口周囲長９０はスカラー量である。出口周囲長９０は、約６ｍｍ〜約６０ｍｍ、任意選択により約８ｍｍ〜約３０ｍｍ、任意選択により約１０ｍｍ〜約２０ｍｍであり得る。出口周囲長９０が小さくなるほど、出口端部４０を出た後に液体製品の流れがより絞り込まれる。
【００２５】
装置は通気口１００を備え得る。通気口１００は、出口端部４０の外部のエントランス１１０と、エントランス１１０からイグジット１３０まで延在する通気口壁部１２０と、を備え得る。すなわち、通気口エントランス１１０は、出口端部４０から離間されていてもよい。通気口エントランス１１０は、約５ｍｍ２〜約５０ｍｍ２、任意選択で約２０ｍｍ２〜約３０ｍｍ２、任意選択で約２８ｍｍ２の面積を有し得る。通気口エントランス１１０は、容器７０内の空気圧が周囲の空気圧と等しくなるように、液体製品が容器７０から完全に出されるとき、十分な量の空気を再び容器７０の中へと流入させるのに十分な大きさのみあればよい。
【００２６】
イグジット１３０は、注ぎチャンバ２０と流体連通し得る。通気口１００は、外部環境からの空気が容器７０へと進入して、容器７０から分配される液体製品と置き換わるための経路を設けている。通気口１００は、出口端部４０からの液体製品の流れが容器７０の通気を妨げないか、又は妨げるのを最小にするように、出口端部４０から分離され得る。出口端部４０からの液体製品の定常流及びボトル７０内への空気の定常流をもたらすために、出口端部４０からの液体製品流は、通気口１００のエントランス１１０への空気進入とは無関係であり得る。
【００２７】
イグジット１３０は、出口端部４０がダム８０から離れている距離よりもダム８０から離れていてもよい。これは、通気口１００を通過してイグジット１３０を抜け出す空気が、ダム８０を越える液体製品の流れに干渉する影響を低減するのに役立ち得る。これはひいては、ダム８０を越えて出口端部４０から流出する液体製品を十分に安定した流速で供給する助けとなり得る。通気口１００を通って容器に入る気泡から、ダム８０を通過する流れを分離することにより、容器７０に入る空気が容器７０から流出する液体製品の流速に及ぼす影響が低減される。イグジット１３０は、出口周囲長９０の約０．５倍超、ダム８０から離れ得る。これはまた、出口端部４０から排出される液体製品から、容器７０の中へと戻る空気の通気を分離する助けとなり得る。イグジット１３０とダム８０との空間的関係は、ダム８０とイグジット１３０の内側壁部との間の最小直線距離と解釈される。
【００２８】
イグジット１３０は、出口端部４０がダム８０から離れている距離の約１．５倍超、ダム８０から離れていてもよい。このことは、再び容器７０の中へと通気されている空気が、容器からダム８０を越えて分配されている液体製品の流れにほとんど又は全く影響を及ぼさないように、ダム８０とイグジット１３０との間に十分な距離を設けることによって有益となり得る。イグジット１３０はイグジット周囲長１４０を有し得る。イグジット周囲長１４０は、イグジット１３０における通気口壁部１２０の内側周囲長である。出口周囲長９０は、イグジット周囲長１４０の約２倍超であってもよい。イグジット周囲長１４０は、約０．１ｍｍ〜約１２ｍｍであってもよい。イグジット周囲長１４０は、約１ｍｍ〜約１２ｍｍであってもよい。イグジット周囲長１４０は、約２ｍｍ〜約４ｍｍであってもよい。イグジット周囲長１４０は、約３．８ｍｍであってもよい。より小さいイグジット周囲長１４０が、２重注入の可能性を低減するために実用的であってもよく、２重注入は、液体製品が出口端部４０及び通気口のエントランス１１０から排出される状況である。液体製品の毛管力は、イグジット１３０への進入に抵抗し得る。出口周囲長９０は、約１ｍｍ〜約６０ｍｍ、任意選択で約１ｍｍ〜約２０ｍｍ、任意選択で約２ｍｍ〜約１０ｍｍであり得る。
【００２９】
出口周囲長９０とイグジット周囲長１４０との比は、約２：１〜約２０：１となり得る。出口周囲長９０がイグジット周囲長１４０よりもはるかに大きいことにより、液体製品が出口端部４０及び通気口１００のエントランス１１０の両方から流出する可能性が低減され得る。液体製品中の毛管力が通気口のイグジット１３０への液体製品の進入に抵抗するため、イグジット周囲長１４０が小さいほど、液体製品が通気口に進入する可能性はより低くなる。出口周囲長９０とイグジット周囲長１４０との比は、約３：１〜約１５：１、任意選択で約３：１〜約５：１、又は任意選択で約１０：１となり得る。液体製品の動粘度が高いほど、出口周囲長９０とイグジット周囲長１４０との間の比が大きくなり得る。イグジット１３０は、約１ｍｍ２〜約３０ｍｍ２、任意選択で約２ｍｍ２〜約２０ｍｍ２、任意選択で約３ｍｍ２〜約１０ｍｍ２、任意選択で約７ｍｍ２の面積を有し得る。イグジット１３０は、約０．５ｍｍ〜約５ｍｍ、任意選択で約１ｍｍ〜約３ｍｍの直径を有し得る。
【００３０】
装置１０は、注ぎチャンバ２０と係合された密度タイマー１５０を更に備え得る。密度タイマー１５０は、タイミング液体４０５に配置されたタイミング要素４００の密度と、タイミング液体４０５におけるタイミング要素４００の重力又は浮力のいずれかによって駆動されるタイミング液体４０５を通るタイミング要素４００の移動との間のコントラストの原理で動作するタイマーである。密度タイマー４００の動作原理は、タイミング液体４０５よりも高密度であるタイミング要素４００が、タイミング液体４０５を通って所定の距離を重力下で落下するのにかかる時間の量であり得る。別の選択肢では、密度タイマー４００の動作原理は、タイミング液体４０５よりも密度が低いタイミング要素４００が、タイミング液体４０５を通って所定の距離を浮力下で上昇するのにかかる時間の量であり得る。ストークス則又は他の分析若しくは計算手法を使用して、タイミング液体４０５を通るタイミング要素４００の移動をモデル化して、密度タイマー１５０の構成要素を適切なサイズ及び寸法にすることができる。同様に、ストークス則又は他の分析若しくは計算手法を使用して、タイミング要素４００の形状及び／又は密度及び／又は特性を考慮してタイミング液体４０５を選択することができる。
【００３１】
密度タイマー１５０は、第１の密度を有するタイミング液体４０５と、第２の密度を有するタイミング要素４００とを収容するリザーバ４１０を備え得る。第２の密度は、第１の密度と異なり得る。タイミング液体４０５とタイミング要素４００との間の密度のコントラストは、タイミング要素４００がタイミング液体４０５内で沈むか、又はタイミング液体４０５内で浮遊する傾向のいずれかを提供する。
【００３２】
タイミング要素４００は、タイミング液体４０５を通って移動可能であり得る。タイミング要素４００の移動は、非限定的な例として、タイミング要素４００に対する浮力又は重力によって駆動することができる。
【００３３】
タイミング要素４００は、リザーバ４１０内にある。タイミング要素４００は、リザーバ４１０の外側から見える。これは、液体製品が注ぎチャンバ２０の出口端部４０から分配される際に、計量装置１０のユーザーが、リザーバ内のタイミング要素４００の移動を見ることができるようにする。
【００３４】
１つ以上の計量表示部２４０は、リザーバ４１０上又はリザーバ４１０に隣接して配置され得る。計量表示部は、印刷された線であってもよい。表示部は、隆起したマーク、例えば、線、ドット、矢印など、又は凹部、例えば、リザーバ４１０上若しくはリザーバ４１０内のエッチングマーク、ディボット、矢印などであってもよい。用量の所望の体積若しくは質量が単一の値を有するか、又はそのような用量の倍数である場合、単一の計量表示部２４０が存在し得る。液体製品の使用に応じて、用量の所望の体積若しくは質量が２つ以上存在する場合、複数の計量表示部２４０が存在し得る。例えば、計量表示部２４０は、それぞれ小用量、中用量、及び大用量を表すＳ、Ｍ、Ｌであってもよく、又は例えば、１、２、及び３として番号付けされてもよい。
【００３５】
タイミング液体４０５は、水であってもよい。タイミング液体中の生物成長を低減又は防止するために、タイミング液体４０５に抗菌物質を提供することができる。タイミング液体４０５は、固有の抗菌特性を有する液体であり得る。タイミング液体４０５は、エタノール、メタノール、及びこれらの混合物であり得る。タイミング液体４０５は、ヒマワリ油、コーン油、オリーブ油、モーター油などの油であってもよい。タイミング液体４０５は、タイミング要素４００が重力又は浮力から印加された力の下でタイミング液体４０５を通って移動することができるように、十分に低い粘度であることのみ必要である。
【００３６】
タイミング要素４００は球体であってもよい。タイミング要素４００は、タイミング液体４０５の密度よりも大きい密度を有し得る。このような構成では、液体製品が分配されていない第１の位置に装置１０があるとき、タイミング要素４００は、リザーバ４１０の第１の端部４１５に静止する。第２の位置は液体製品が装置１０から分配されるときの装置１０の位置であり、装置１０が第１の位置から第２の位置へと移行するとき、タイミング要素４００は、タイミング要素４００はタイミング液体４０５を通って落下して、１つ以上の計量表示部２４０を通過するか、又は接近することができる。タイミング要素４００はタイミング液体４０５を通って、第１の端部４１５から第２の端部４２０に向かって、また計量表示部２４０に向かって、又は計量表示部２４０を通過して、移動することができる。タイミング要素４００がタイミング液体４０５を通って落下する際に、計量表示部２４０に対するタイミング要素４００の位置を装置１０のユーザーが観察すると、ユーザーは、タイミング要素４００が選択された計量表示部２４０にあるか又はそれを超えているときに装置１０を垂直にひっくり返すことによって、液体製品の分配を停止することを決定することができる。
【００３７】
本明細書に記載されるように、リザーバ４１０は、第１の端部４１５と、第１の端部４１５と対向する第２の端部４２０と、第１の端部４１５を第２の端部４２０に接続するリザーバ壁部４２５とを有することができる。リザーバ壁部４２５は、タイミング液体４０５を収容する内部チャンバ４３０を画定する。第１の端部４１５から第２の端部４２０までのリザーバ４１０は、入口端部３０から出口端部４０まで注ぎチャンバ２０と位置合わせされる。
【００３８】
タイミング要素４００はまた、浮力によって駆動されるときに移動することができる。このような構成では、タイミング要素４００は、タイミング液体４０５よりも低い密度を有し得る。装置１０が第１の位置にあるとき、タイミング要素４００は、リザーバ４１０の第２の端部４２０に静止する。装置１０が第１の位置から第２の位置へと移行するとき、タイミング要素４００はタイミング液体４０５を通って上昇して、１つ以上の計量表示部２４０を通過するか、又は接近することができる。タイミング要素４００はタイミング液体４０５を通って、第２の端部４２０から第１の端部４１５に向かって、また計量表示部２４０に向かって、又は計量表示部２４０を通過して、移動することができる。ユーザーは、タイミング要素が選択された計量表示部２４０にあるか又はそれを超えているときに、装置１０を直立させることによって、液体製品の分配を停止することを決定することができる。
【００３９】
タイミング要素４００の密度は、タイミング要素４００の質量を、移動されたタイミング液体４０５の体積によって除算したものである。タイミング要素４００は、固体であってもよい。例えば、タイミング要素４００は、非多孔質固体プラスチック、セラミック、ワックス、若しくは金属、又は、装置１０が第２の位置にあるとき、タイミング要素４００が重力下で移動する実施形態のタイミング液体４０５の比重若しくは密度よりも大きい比重若しくは密度を有する他の材料であってもよい。任意選択により、タイミング要素４００は、多孔質固体プラスチック、セラミック、若しくは金属、又は、タイミング液体４０５の密度よりも大きく、移動されたタイミング液体４０５の体積当たりの十分な質量を有する他の材料であってもよい。
【００４０】
タイミング要素４００は、多孔質固体プラスチック、セラミック、ワックス、若しくは金属、又は、装置１０が第２の位置にあるとき、タイミング要素４００が、タイミング要素４００に作用する浮力下で移動する実施形態のタイミング液体４０５の密度よりも小さい密度を有する他の材料であってもよい。タイミング要素４００は中空であってもよい。タイミング要素４００は、タイミング液体４０５の比重又は密度よりも小さい比重又は密度を有する固体材料であり得る。例えば、タイミング要素４００は、固体プラスチックボールであってもよい。
【００４１】
タイミング要素４００は、液体であってもよい。例えば、装置１０が第２の位置にあるときに、タイミング要素４００が重力下で、第１の端部４１５から第２の端部４２０に向かって移動することを意図される場合、タイミング要素４００は、油、又はタイミング液体４０５の密度よりも大きい密度を有する他の液体材料であってもよい。例えば、装置１０が第２の位置にあるときに、タイミング要素４００が、タイミング要素４００に作用する浮力下で移動することを意図される場合、タイミング要素４００は、油、又はタイミング液体４０５の密度よりも小さい密度を有する他の液体材料であってもよい。様々な油及び他の液体材料が、異なる密度で利用可能であり、タイミング要素４００とタイミング液体４０５の密度の所望のコントラストが提供され得る。このような材料は、好適には、塊に留まる傾向がある材料であり得る。
【００４２】
好適には、タイミング要素４００は、リザーバ４１０の外側から視認可能であり得る。装置１０のユーザーは、液体製品が装置１０から分配される際に、タイミング要素４００が１つ以上の計量表示部２４０に向かって又はそれを通過して移動するのを見ることができる。タイミング要素４００の視認性を向上させるために、タイミング要素４００とタイミング液体４０５との間に色のコントラストが存在し得る。例えば、タイミング液体４０５は、約９８重量％〜約１００重量％の水であってもよい。タイミング要素４００は、１ｇ／ｃｍ３より大きい密度を有する赤色固体プラスチックボールであり得る。
【００４３】
リザーバ壁部４２５は、透明なプラスチック材料から作製することができる。例えば、リザーバ壁部４２５は、アクリル、ポリプロピレン、ポリエチレン、ポリエチレンテレフタレートなどの材料で形成することができる。
【００４４】
タイマー１５０がイグジット１３０から油圧分離されているため、本明細書に記載されるタイマー１５０を提供することは実用的であり得る。そうでなければ、タイマー１５０は、タイマー１５０とイグジット１３０との間に流体連通を含まなくてもよい。タイマー１５０は、注ぎチャンバ２０と係合され得る。タイマー１５０は、注ぎチャンバ２０の外側面１６０上に装着されることによって、注ぎチャンバ２０と係合され得る。タイマー１５０は、容器７０に接合されることによって注ぎチャンバ２０と係合され得る。タイマー１５０は、タイマー１５０と注ぎチャンバ２０とを接続する要素に接合されることによって、注ぎチャンバ２０に接合され得る。
【００４５】
タイミング液体４０５は、一定の体積を有し得る。タイミング液体のその一定の体積は、約０．５ｃｍ３〜約４ｃｍ３、任意選択で約０．５ｃｍ３〜約２ｃｍ３であり得る。
【００４６】
タイミング液体４０５は、注ぎチャンバ２０と流体連通しない。そうでなければ、タイミング液体４０５は、注ぎチャンバ２０から流体的に分離され得る。これにより、タイミングの態様と容器７０からの液体製品の分配との機能的分離が可能となる。容器７０からの液体製品の流動は動力学的に複雑であるため、容器７０の内容物と液体連通しているタイマーを使用しようと試みることは、容器７０からの複雑な液体製品流様式によって複雑となる。更に、容器７０の中へと再び空気を通気することは、分配される液体製品の体積の測定を複雑にし得る。装置１０は、出口端部４０が入口端部３０の上方に位する第１の位置と、入口端部３０が出口端部４０の上方に位する第２の位置とを有すると考えられ得る。タイミング要素４００がタイミング液体４０５内で浮力がある場合、装置１０が第１の位置にあるとき、タイミング要素４００はリザーバ４１０の第２の端部４２０又はその付近にある。タイミング要素４００の密度がタイミング液体４０５より大きい場合、装置１０が第１の位置にあるとき、タイミング要素４００はリザーバ４１０の第１の端部４１５又はその付近にある。装置１０の第１の位置は直立位置にあり、この位置では、装置１０は、その基部に載せられている容器７０に装着され、装置１０が容器７０の上方に位するようになっている。
【００４７】
装置１０の第２の位置は、出口端部４０が入口端部３０の下方にあるような傾いた位置にある。この位置では、液体製品は出口端部４０から分配され得る。第２の位置は、消費者が容器７０を傾けるか又は反転させて容器７０から液体製品を分配するときの装置１０の位置に対応する。
【００４８】
第１の位置において、出口端部４０は入口端部３０の上方に位し得る。第２の位置において、入口端部３０は出口端部４０の上方に位し得る。タイミング液体４０５とタイミング要素４００の密度のコントラストは、タイミング要素４００が、容器７０から液体製品を注ぐ消費者によって観察及び追跡され得る流量で、タイミング液体４０５を通って移動するように選定され得る。移動速度は十分に高くなければならず、また、出口端部４０の大きさに関し、注ぎの持続時間は、消費者にとって不快にならないように長すぎず、あるいは液体製品の不正確な用量の可能性を減らすために短すぎないように設定される必要がある。注ぎの持続時間は、約２秒〜約１０秒、任意選択で約４秒〜約７秒であり得る。
【００４９】
リザーバ４１０又はリザーバ４１０に隣接する装置の一部分は、少なくとも１つの計量表示部２４０を含み得る。計量表示部２４０は、非限定的な例として、リザーバ壁部４２５の外部表面の隆起部分、リザーバ壁部４２５の外部表面上の印刷マーク、リザーバ壁部４２５の着色部分若しくは染色部分、又はリザーバ壁部４２５の内部表面若しくは外部表面上の印刷マークであり得る。計量表示部２４０は、液体製品の推奨される計量量に対応する、出口端部４０から分配される液体製品の体積を指示し得る。複数の計量表示部２４０は、リザーバ４１０の一部分として、又はリザーバ４１０に隣接する装置の一部分として提供され得る。
【００５０】
装置は、開放端部２５０を有する容器７０を更に備え得る。注ぎチャンバ２０、ダム８０、通気口１００、及び密度タイマー１５０は、開放端部２５０と係合され得る。例えば、注ぎチャンバ２０、ダム８０、通気口１００、及び密度タイマー１５０は共に、容器７０の開放端部２５０上に、又はその中に嵌合する取付体を形成し得る。
【００５１】
出口クロージャ２６０が注ぎチャンバ２０の出口端部４０と係合され得る。任意選択により、出口クロージャ２６０は、注ぎチャンバ２０と係合されて、出口端部４０と通気口１００の両方を閉鎖し得る。出口クロージャ２６０は、容器が意図せず反転された場合に、容器７０からの漏出液体製品を防止するのに役立つ。装置１０は、取付体として容器７０に接続され得るか、容器７０にスナップ嵌め又はねじ留めされ得る。容器７０の開放端部２５０は、開放端部２５０の内部又は外部にねじ山を有し得る。装置１０は、容器７０にねじ込まれ得る。装置１０の内側は、容器７０上の雄ねじと係合可能なねじ山を有し得る。
【００５２】
装置１０は、ドレインバック機構を設けられ得る。ドレインバック機構は、消費者が容器７０からの分配を終えたときに、出口端部４０から滴を捕捉するのに実用的となり得る。出口端部４０はスパウト４５であり得る。スパウト４５は、出口端部４０の上流の注ぎチャンバ２０の一部分であり得る。スパウト４５は、出口端部４０の上流にスパウト入口４７を有し得る。ドレインバック機構はフロア２７０を備え得るが、このフロアは、少なくとも部分的にスパウト４５を囲み、またスパウト４５から離れて外向きに延在している。ドレインバック機構はチャネル壁部２８０を更に備え得るが、このチャネル壁部は、スパウト４５とチャネル壁部２８０との間にチャネル２９０を画定するように、入口端部３０から離れる方向にフロア２７０から延在している。フロア２７０は、エントランス１０５に向かって、又は注ぎチャンバ２０と流体連通する穴に向かって傾斜され得る。フロア２７０は、水平から約５度〜約４５度の角度で傾斜され得る。チャネル２９０は、注ぎチャンバ２０又はスパウト４５の外部にあるものとして説明され得る。チャネル２９０は、スパウト４５の下にあるものとして更に説明され得る。チャネル２９０は、出口端部４０と入口端部３０との間に配置されるものとして更に説明され得る。装置１０は、少なくとも部分的に注ぎチャンバ壁部５０を囲んで延在し、かつ注ぎチャンバ壁部５０から離れて外向きに延在するフロア２７０と、チャネル壁部２８０であって、入口端部４０から離れる方向にフロアから延在して、注ぎチャンバ壁部５０とチャネル壁部２８０との間にチャネル２９０を画定する、チャネル壁部２８０とを更に備えると考えることができる。
【００５３】
ドレインバック機構はまた、通気口１００として働き得る。任意選択により、ドレインバック機構は、通気口１００から分離され得る。
【００５４】
装置１０は、開放端部２５０を有する容器７０を更に備え得る。注ぎチャンバ２０、ダム８０、通気口１００、密度タイマー１５０、出口クロージャ２６０は共に、容器クロージャ２６２の少なくとも一部を形成し得る。
【００５５】
通気口１００は、ドレインバック機構から独立していてもよい。例えば、ドレインバック機構は、チャネル２９０のフロア２７０内の穴として設けられてもよく、また、上述のように構造化された別個の通気口１００が、装置１０上の別の場所に設けられてもよい。例えば、ドレインバック機構は、ドレインバックチューブ３００に接続された穴を備え得る。
【００５６】
密度タイマー１５０は容器７０上に装着され得る。例えば、タイマー１５０は容器７０のハンドル上に装着され得る。任意選択により、タイマー１５０は、容器７０のハンドルと開放端部２５０との間の位置で容器７０上に装着されてもよい。
【００５７】
装置１０は、液体製品を分配するためのプロセスにおいて使用され得る。液体製品が出口端部４０を通って分配される。液体製品が出口端部２０を通って分配されると、タイミング要素４００はタイミング液体４０５を通って移動できる。消費者は、タイミング液体４０５を通るタイミング要素４００の移動及び計量表示部２４０に対するタイミング要素４００の位置を観察することができ、タイミング要素４００の位置が計量表示部２４０に対応するか又はこれと一致すると、消費者は、装置１０を直立させて液体製品の分配を停止させることができる。
【００５８】
装置１０は、三次元印刷などの付加製造によって製造され得る。これは、非限定的な例として、湾曲したスパウト４５などの形状に実用的であり得る。装置は、射出成形によって形成されてもよい。装置１０は、ポリプロピレン、ポリエチレン、又は他のポリマー材料を含み得る。
【００５９】
図２は、装置の上面図である。
【００６０】
図３は、装置１０のイメージである。図３は、第１の位置にある装置１０を示す。タイミング要素４００は、リザーバ４１０の第１の端部４１５に静止している。図３に示す実施形態では、タイミング要素４００は、タイミング液体４０５よりも大きい密度を有する。したがって、タイミング要素４００は、タイミング液体４０５の底部にある。
【００６１】
図４は、液体製品４３５の分配が開始された直後の第２の位置にある装置の画像である。タイミング要素４００は、リザーバ４１０の第２の端部４２０よりもリザーバ４１０の第１の端部４１５に近い。
【００６２】
図５は、分配された液体製品４３５の量が十分である長さ装置１０がそのような位置にあった後の第２の位置にある装置の画像である。液体製品４３５の量は、リザーバ４１０の第２の端部４２０に最も近い計量表示部２４０に関連する液体製品４３５の量に相応する。タイミング要素は、２つの計量表示部２４０を通過して、リザーバ４１０の第２の端部４２０に最も近い計量表示部２４０に向かって移動し、リザーバ４１０の第１の端部４１５よりもリザーバ４１０の第２の端部４２０の近くにある。
【００６３】
図６は、装置１０の底面イメージである。
【００６４】
図７は、装置１０の斜視図である。
【００６５】
図８は、装置１０の破断図である。
【００６６】
実施例及び組み合わせ
Ａ．装置（１０）であって、
入口端部（３０）及び出口端部（４０）と、当該入口端部から当該出口端部へと延在する注ぎチャンバ壁部（５０）と、を備える注ぎチャンバ（２０）であって、当該注ぎチャンバは、当該入口端部から当該出口端部への流動が生じ得る開放断面積（６０）を有する、注ぎチャンバと、
当該注ぎチャンバと係合される密度タイマー（１５０）であって、当該密度タイマーは、
第１の密度を有するタイミング液体（４０５）と、第２の密度を有するタイミング要素（４００）とを収容するリザーバ（４１０）であって、当該第２の密度は当該第１の密度とは異なり、当該タイミング要素（４００）は当該タイミング液体を通って移動可能であり、当該タイミング要素は当該リザーバの外側から見える、リザーバ（４１０）と、
当該リザーバ上又は当該リザーバに隣接する１つ以上の計量表示部（２４０）と
を備える、密度タイマーと
を備える、装置。
【００６７】
Ｂ．パラグラフＡに記載の装置であって、
当該開放断面積が、当該入口端部と当該出口端部との間の位置の関数であり、当該出口端部は、当該入口端部の下流にあり、当該出口端部は出口周囲長を有し、当該出口端部の上流の当該注ぎチャンバの一部分は、当該出口端部の上流にスパウトエントランスを有するスパウトであり、
当該装置は、当該注ぎチャンバ壁部と係合され、当該入口端部と当該スパウトとの間に配置されたダム（８０）を更に備え、当該開放断面積は、当該ダムの直ぐ上流の位置と比較すると、当該ダムが配置されている場所で低減され、当該ダムは、当該スパウトエントランスを部分的に閉鎖する、装置。
【００６８】
Ｃ．当該出口端部から離間配置されたエントランス（１０５）と、当該エントランスからイグジット（１３０）へと延在する通気口壁部と、を備える通気口（１００）を更に備え、当該イグジットは当該注ぎチャンバと流体連通し、当該イグジットは、当該出口端部が当該ダムから離れている距離よりも当該ダムから離れており、当該イグジットは、当該出口周囲長の約０．５倍超、当該ダムから離れており、当該イグジットはイグジット周囲長（１４０）を有し、当該出口周囲長（９０）は、当該イグジット周囲長の約２倍超、長い、パラグラフＢに記載の装置。
【００６９】
Ｄ．開放端部（２５０）を有する容器（７０）を更に備え、当該注ぎチャンバ、当該ダム、当該通気口、及び当該密度タイマーは、当該開放端部と係合されている、パラグラフＣに記載の装置。
【００７０】
Ｅ．開放端部（２５０）を有する容器（７０）を更に備え、当該注ぎチャンバ、当該ダム、当該通気口、当該密度タイマー、及び当該出口クロージャは共に、容器クロージャ（２６２）の少なくとも一部を形成する、パラグラフＣに記載の装置。
【００７１】
Ｆ．当該イグジットは、当該出口端部が当該ダムから離れている距離よりも約１．５倍超、当該ダムから離れている、パラグラフＣ〜Ｅのいずれか１つに記載の装置。
【００７２】
Ｇ．当該密度タイマーは容器（７０）上に装着されている、パラグラフＡ〜Ｃのいずれか１つに記載の装置。
【００７３】
Ｈ．パラグラフＡ〜Ｇのいずれか１つに記載の装置であって、当該リザーバが、第１の端部（４１５）と、当該第１の端部と対向する第２の端部（４２０）と、当該第１の端部を当該第２の端部に接続するリザーバ壁部（４２５）であって、当該リザーバ壁部が、当該タイミング液体を収容する内部チャンバ（４３０）を画定する、リザーバ壁部と、を備え、当該第１の端部から当該第２の端部までの当該リザーバが、当該入口端部から当該出口端部までの当該注ぎチャンバと位置合わせされる、装置。
【００７４】
Ｉ．当該第２の密度は当該第１の密度よりも大きい、パラグラフＡ〜Ｈのいずれか１つに記載の装置。
【００７５】
Ｊ．当該第２の密度は当該第１の密度よりも小さい、パラグラフＡ〜Ｉのいずれか１つに記載の装置。
【００７６】
Ｋ．当該タイミング要素が固体である、パラグラフＡ〜Ｊのいずれか１つに記載の装置。
【００７７】
Ｌ．当該タイミング要素が液体である、パラグラフＡ〜Ｊのいずれか１つに記載の装置。
【００７８】
Ｍ．パラグラフＡ〜Ｌのいずれか１つに記載の装置であって、当該装置は、当該出口端部が当該入口端部の上方にある第１の位置と、当該入口端部が当該出口端部の上方にある第２の位置と、を有し、当該装置が当該第２の位置にあるとき、当該タイミング要素が当該リザーバの外側から見える、装置。
【００７９】
Ｎ．出口クロージャ（２６０）が当該出口端部４０と係合される、パラグラフＡ〜Ｍのいずれか１つに記載の装置。
【００８０】
Ｏ．パラグラフＡ〜Ｎのいずれか１つに記載の装置であって、当該装置は、少なくとも部分的に当該スパウトを囲んで延在し、かつ当該スパウトから離れて外向きに延在するフロア（２７０）と、チャネル壁部（２８０）であって、当該入口端部（３０）から離れる方向に当該フロアから延在して、当該スパウトと当該チャネル壁部との間にチャネル（２９０）を画定する、チャネル壁部（２８０）と、を更に備え、当該フロアは、当該エントランスに向かって、又は当該注ぎチャンバと流体連通する穴に向かって傾斜されている、装置。
【００８１】
Ｐ．パラグラフＡ〜Ｎのいずれか１つに記載の装置であって、当該装置は、少なくとも部分的に当該スパウトを囲んで延在し、かつ当該スパウトから離れて外向きに延在するフロアと、チャネル壁部であって、当該入口端部から離れる方向に当該フロアから延在して、当該スパウトと当該チャネル壁部との間にチャネルを画定する、チャネル壁部と、を更に備え、当該フロアは、当該注ぎチャンバと流体連通する穴に向かって傾斜され、当該通気口は当該穴から離間している、装置。
【００８２】
Ｑ．パラグラフＡ〜Ｐのいずれか１つに記載の装置であって、当該装置は、当該出口端部が当該入口端部の上方にある第１の位置と、当該入口端部が当該出口端部の上方にある第２の位置と、を有し、当該リザーバが、当該第１の端部（４１５）と、第１の端部と対向する第２の端部（４２０）と、当該第１の端部を当該第２の端部に接続するリザーバ壁部（４２５）であって、当該リザーバ壁部（４２５）が、当該タイミング液体を収容する内部チャンバ（４３０）を画定する、リザーバ壁部と、を備え、当該装置が当該第１の位置から当該第２の位置に移行するとき、当該タイミング要素は当該タイミング液体を通って当該第１の端部から当該第２の端部に向かって移動するか、又は当該タイミング液体を通って当該第２の端部から当該第１の端部に向かって移動する、装置。
【００８３】
Ｒ．パラグラフＡ〜Ｑのいずれか１つに記載の装置を用いて液体製品（４３５）を分配するためのプロセスであって、当該液体製品が当該出口端部を通って分配されるとき、当該タイミング要素は当該タイミング液体を通って当該計量表示部に向かって移動し、又は当該計量表示部を通過する、プロセス。
【００８４】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００８５】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2020531379.tif 000003
【図２】
2020531379.tif 000004
【図３】
2020531379.tif 000005
【図４】
2020531379.tif 000006
【図５】
2020531379.tif 000007
【図６】
2020531379.tif 000008
【図７】
2020531379.tif 000009
【図８】
2020531379.tif 000010
【国際調査報告】
2020531379.tif 000011
2020531379.tif 000012